(57)【特許請求の範囲】
【請求項１】
紙により形成された書画の欠損部分を補修するための漉紙からなる補修部材であって、
前記補修部材は、前記欠損部分に嵌められる本体部分と、前記本体部分の上端部から外側に突き出し、かつ、前記書画の表面および裏面のうちの前記表面上に載せられる鍔部分とを備え、
前記本体部分は、前記欠損部分と等しい断面積および形を有し、
前記鍔部分は、前記本体部分より薄い厚みを有する、書画の補修部材。
【請求項２】
紙の補修対象物である書画の欠損部分に紙により形成された補修部材を充填して前記補修対象物を補修するための方法であって、
前記補修対象物の画像情報を取得し、
前記画像情報から前記補修対象物の欠損部分の位置情報を取得し、
前記位置情報に基づいて、前記欠損部分と同じ形状、および、前記補修部材の本体部分の断面積が前記欠損部分の断面積と等しくなるような大きさを有する開口部が設けられた型版を用いて紙漉きにより前記補修部材を形成し、
前記補修部材を形成する際、多数の孔が形成された有孔板に前記型版を配置した漉枠により紙繊維を溶かした補修液を漉くことで、前記欠損部分と断面積が等しい本体部分と、前記本体部分の上端部から突き出す鍔部分とを有し、前記鍔部分の厚みが前記本体部分の厚みより薄い前記補修部材に形成し、
前記補修対象物の表面および裏面のうちの前記表面上に前記鍔部分が載るように前記本体部分を前記欠損部分に嵌める、書画の補修方法。
【請求項３】
前記位置情報に基づいて前記型版を切断して前記開口部を形成する、請求項２に記載の書画の補修方法。 
【発明の詳細な説明】
【技術分野】
【０００１】
本発明は、織布や紙などで形成された補修対象物（書画）の欠損部分に補修部材を補填して、補修対象物を修理するための書画の補修システムおよび補修方法に関する。
【背景技術】
【０００２】
従来の書画の補修方法として、たとえば、特許文献１の紙製書画等の修復方法が知られている。この修復方法では、通水性を具備したベルトに修復対象紙を載置し、修復対象紙の上面に修復用液をコーティングしている。このベルトの下方から修復用液を吸引し、修復対象紙の欠損部分に修復用液を充填させている。そして、欠損部分以外に残存する修復用液を修復対象紙上から除去してから、修復対象紙を乾燥させている。
【０００３】
また、特許文献２の紙製作品の補修用補紙を用いた補修方法が知られている。この補修方法では、紙製作品を撮影して画像データを取得し、画像データから欠失部のみを抽出し、欠失部より糊代分だけ大きい補紙のパターンを作成している。そして、補紙パターンに基づいてダイレクトスクリーン出力機によりシルクスクリーン用感熱紗に印刷することにより開口シートを作成して、開口シートを用いて紙漉きを行い補紙を作成している。
【先行技術文献】
【特許文献】
【０００４】
【特許文献１】特開２００３−１９１６９８号公報
【特許文献２】特許第３３３５３０９号公報
【発明の概要】
【発明が解決しようとする課題】
【０００５】
しかしながら、上記特許文献１の紙製書画等の修復方法では、修復用液を修復対象紙で漉いて、欠損部分を埋めているため、紙で形成された書画しか修復することができない。また、修復対象紙にコーティングする修復用液は多量の水を含むため、耐水性の劣る修復対象紙も修復することができない。さらに、修復対象紙の欠損部分に修復用液が充填された後に、欠損部分に充填された部分のみを加工することができないため、打紙や布目付け等の加工が施された修復対象紙も修復することができない。
【０００６】
また、上記特許文献２の紙製作品の補修用補紙を用いた補修方法でも、紙漉により補紙を作成しているため、紙で形成された書画しか補修することができない。また、開口シートをシルクスクリーンにより作成しているため、補紙の厚みを容易に変更することができず、補修できる紙製作品の厚みが制限されてしまう。さらに、補紙の糊代が紙製作品と重なり、補修した紙製作品に凹凸ができる。この凹凸により紙製作品の巻き解きの際に表面が擦れて痛むおそれがあるため、この補修方法は巻物には適さないことがある。
【０００７】
本発明はこのような課題を解決するためになされたものであり、従来技術より多くの対象物に適応可能な書画の補修システムおよび補修方法を提供することを目的としている。
【課題を解決するための手段】
【０００８】
本発明のある態様に係る書画の補修システムは、補修対象物の画像情報を取得する画像情報取得部と、前記画像情報から前記補修対象物の欠損部分の位置情報を取得する欠損位置取得部と、前記位置情報に基づいて、前記欠損部分と同じ形状および大きさを有する開口部が設けられた型版を形成する形成部と、を備え、前記補修対象物は紙により形成されており、補修部材は、多数の孔が形成された有孔板に前記型版を配置した漉枠により紙繊維を溶かした補修液を漉いて形成され、前記補修部材は、前記欠損部分に対応する本体部分と、前記本体部分の上端部から突き出す鍔部分とを備え、前記本体部分の断面積は前記欠損部分の断面積と等しく、前記鍔部分の厚みは前記本体部分の厚みより薄い。
【０００９】
書画の補修システムでは、前記位置情報に基づいて前記型版を切断して前記開口部が形成されていてもよい。
【００１０】
本発明のある態様に係る書画の補修方法は、紙の補修対象物の欠損部分に紙により形成された補修部材を充填して前記補修対象物を補修するための方法であって、前記補修対象物の画像情報を取得し、前記画像情報から前記補修対象物の欠損部分の位置情報を取得し、前記位置情報に基づいて、前記欠損部分と同じ形状および大きさを有する開口部が設けられた型版を用いて紙漉きにより前記補修部材を形成し、前記補修部材を形成する際、多数の孔が形成された有孔板に前記型版を配置した漉枠により紙繊維を溶かした補修液を漉くことで、前記欠損部分と断面積が等しい本体部分と、前記本体部分の上端部から突き出す鍔部分とを有し、前記鍔部分の厚みが前記本体部分の厚みより薄い前記補修部材に形成する。
【００１１】
書画の補修方法では、前記位置情報に基づいて前記型版を切断して前記開口部を形成してもよい。
【発明の効果】
【００１２】
本発明は、以上に説明した構成を有し、従来技術より多くの対象物に適応可能な書画の補修システムおよび補修方法を提供することができるという効果を奏する。
【００１３】
本発明の上記目的、他の目的、特徴および利点は、添付図面参照の下、以下の好適な実施態様の詳細な説明から明らかにされる。
【図面の簡単な説明】
【００１４】
【図１】本発明の実施の形態１に係る書画の補修システムを示す機能ブロック図である。
【図２】図２（ａ）は書画を示す外観図であり、図２（ｂ）は書画の画像情報を二値化処理した結果を示す図であり、図２（ｃ）は補修部材を形成した補修積層シートを示す外観図である。
【図３】図３（ａ）は補修積層シートの断面図であり、図３（ｂ）は欠損部分に補修部材を補填した書画を示す断面図である。
【図４】図４（ａ）は、本発明の実施の形態２に係る書画の補修システムの補修対象である書画を示す外観図であり、図４（ｂ）は書画の画像情報を二値化処理した結果を示す図であり、図４（ｃ）は開口部を形成した型版を示す外観図である。
【図５】図５（ａ）は型版に有孔板を重ねた漉枠を示す断面図であり、図５（ｂ）は開口部に紙繊維が充填された漉枠を示す断面図であり、図５（ｃ）は欠損部分に補修部材を補填した書画を示す断面図である。
【発明を実施するための形態】
【００１５】
以下、本発明の実施の形態を、図面を参照しながら具体的に説明する。なお、以下では全ての図面を通じて同一または相当する要素には同一の参照符号を付して、その重複する説明を省略する。
【００１６】
（実施の形態１）
図１は、実施の形態１に係る書画の補修システム１０を示す機能ブロック図である。図１に示す書画の補修システム１０は、書画２０の欠損部分２１に補填する補修部材３０を作成するためのシステムである。書画２０は、織布で形成された補修対象物であって、たとえば、巻物、掛け軸、屏風、襖、経本、古地図などが挙げられる。この織布としては、たとえば、絹や麻の糸を織った布が挙げられる。書画の補修システム１０は、画像情報取得部１１、欠損位置取得部１２および形成部１３を備えている。
【００１７】
画像情報取得部１１は、書画２０の画像情報を取得する、たとえば、カメラやスキャナなどである。この画像情報が、書画２０が印刷された写真などであれば、写真をスキャナなどで読み込んでデジタル情報に変換して、デジタル情報を画像情報として取得する。なお、書画２０の画像情報は、書画２０の表側から取得した画像の情報であってもよいし、書画２０の裏側から取得した画像の情報であってもよい。
【００１８】
欠損位置取得部１２は、画像情報取得部１１により取得された書画２０の画像情報に基づいて書画２０の欠損部分２１の位置情報を取得する、たとえば、コンピュータなどである。コンピュータは、演算部および記憶部を有している。この記憶部に記憶されたプログラムに従って演算部が実行することにより、欠損部分２１の位置情報が取得される。この欠損部分２１の位置情報は、欠損部分２１の縁の位置を示す情報であって、たとえば、座標で示される。この座標は、任意の位置、または、位置合わせのための基準マークなどの所定の位置に基づいて定められる。
【００１９】
形成部１３は、欠損位置取得部１２により取得された欠損部分２１の位置情報に基づいて補修部材３０を形成する、たとえば、切断機器などである。補修部材３０は、補修シートを切断して形成され、欠損部分２１と同じ形状を有している。なお、同じ形状であるとは、完全に一致する形状だけでなく、製造上の誤差や公差を許容した範囲も含む。よって、補修部材３０は欠損部分２１の形および大きさが同一またはほぼ同一であって、補修部材３０の輪郭の形および大きさは欠損部分２１の縁と一致またはほぼ一致し、補修部材３０の補修シート３２（図３（ｂ））の厚みは欠損部分２１と一致またはほぼ一致する。
【００２０】
次に、図２（ａ）〜図３（ｂ）を参照して、書画２０の補修方法について説明する。この補修方法は、図１の補修システム１０により実行される。図２（ａ）は書画２０を示す外観図であり、図２（ｂ）は書画２０の画像情報を二値化処理した結果を示す図であり、図２（ｃ）は補修部材３０を形成した補修積層シート３１を示す外観図である。図３（ａ）は補修積層シート３１の断面図であり、図３（ｂ）は欠損部分２１に補修部材３０を補填した書画２０を示す断面図である。
【００２１】
なお、以下の説明では、絹で形成され書画２０の補修方法について説明するが、麻などの他の織布でも同様の補修方法が採られ得る。
【００２２】
まず、書画２０に表材を貼り付けてから、書画２０の裏材を取り外す。図２（ａ）に示すように、裏側から書画２０をデジタルカメラで撮影して、この写真（画像）のデジタル情報を書画２０の画像情報として取得する。この撮影の際に、書画２０の本体と欠損部分２１とを区別し易くするために、表材の色彩を書画２０の本体の色彩と異なるようにしてもよい。また、書画２０の欠損部分２１と補修積層シート３１の補修部材３０（図２（ｃ））との位置合わせのための基準マークを書画２０と同時に撮影してもよい。
【００２３】
続いて、書画２０の画像情報について画像処理をコンピュータ（欠損位置取得部）１２で行って、図２（ｂ）に示すように、欠損部分２１の位置情報を取得する。この画像処理
では、たとえば、二値化処理などにより、書画２０の本体の色彩と表材の色彩により色彩の閾値を設定して、この閾値に基づいて欠損部分２１の領域を取得する。この実施の形態では、欠損部分２１の領域を黒色で表し、書画２０の本体の領域を白色で表している。そして、欠損部分２１の領域と本体の領域との境目を欠損部分２１の縁と判定して、境目の位置情報を欠損部分２１の位置情報として取得する。
【００２４】
なお、織布の書画２０は、紙の書画２０とは異なり、多くの網目（糸と糸との隙間の部分）を有している。特に、古い絹の書画２０では網目が大きいものがあり、この大きな網目と欠損部分２１とを区別し難いことが多い。また、織布の書画２０の欠損部分２１は、紙の書画２０の欠損部分２１のように縁が比較的容易に区別できる孔ではなく、糸が切れてできているため、縁が不明瞭な孔である。このため、書画２０の網目の形状や大きさに基づいた閾値をさらに設定して、大きな網目によるノイズを欠損部分２１の情報から削除する。
【００２５】
そして、図２（ｃ）に示すように、切断位置情報に従って補修積層シート３１を切断する。この補修積層シート３１は、図３（ａ）に示すように、補修シート３２、介在シート３３および支持シート３４をこの順で積層されたものである。補修シート３２、介在シート３３および支持シート３４はそれぞれ貼り付けられている。この貼り付けには、剥がした際に補修シート３２に損傷を与えない程度の接着強度を有し、補修シート３２や書画２０の本体に変色などの損傷を与える成分を含まない接着剤が好ましい。接着剤としては、たとえば、布海苔またはセルロース誘導体が挙げられる。
【００２６】
補修シート３２は、書画２０の本体の織布に一致または類似する織布で形成されている。たとえば、書画２０が古い時代のものである場合、網目が粗い絹を選び、この絹を電子線などにより劣化させて、補修シート３２を作成する。
【００２７】
支持シート３４は、切断や補填などの際に補修シート３２を支持する台紙であって、たとえば、和紙などの紙、または、不織布などの布などにより形成されている。支持シート３４は、補修シート３２に接着可能であって、切断時に補修シート３２の網目や切断部などが変形しないように支持でき、かつ、補充時に補修シート３２を保持できるための強度や厚みなどを有している。
【００２８】
介在シート３３は、補修シート３２を支持シート３４から剥がした際に補修シート３２の網目や形状などが損傷しないように補修シート３２と支持シート３４との間に配置されたシートであって、たとえば、和紙などの紙、または、不織布などの布などにより形成されている。介在シート３３は、補修シート３２に接着可能であって、その厚みが支持シート３４より小さく設定されている。また、介在シート３３は、支持シート３４より可撓性がある。このため、補修シート３２を支持シート３４から剥がす際の補修シート３２への負荷を低減することができる。
【００２９】
図２（ｃ）に示す補修積層シート３１を切断する形成部１３には、たとえば、カッティングプロッタが用いられる。このカッティングプロッタでは、玉軸受により刃先が回転することにより、刃先はその向きを進行方向に向ける。また、刃先の補修積層シート３１に接する圧力が制御される。このため、補修シート３２の網目が潰れないような圧力で刃先は補修シート３２、介在シート３３および支持シート３４の全てを切断することができる。
【００３０】
この補修積層シート３１の切断時には、欠損部分２１の位置情報に基づいた切断位置情報に従って刃先を移動させる。これにより、欠損部分２１の縁に対応する輪郭の補修部材３０が補修積層シート３１に形成される。また、補修シート３２、介在シート３３および
支持シート３４の全てが切断されるため、補修部材３０は、これらのシート３２、３３、３４により構成されている。
【００３１】
続いて、図３（ｂ）に示すように、補修部材３０を補修積層シート３１から取り、補修部材３０に対応する欠損部分２１に補修部材３０を補充する。この際、補修部材３０の補修シート３２が書画２０の表材２２に接し、補修部材３０の支持シート３４が書画２０の裏面側に位置するように、補修部材３０を書画２０の裏面側から嵌める。そして、補修部材３０の支持シート３４を剥がしてから、介在シート３３を剥がす。これにより、補修部材３０の補修シート３２が欠損部分２１内に残る。この補修部材３０の補修シート３２の形状が欠損部分２１に等しいため、補修部材３０の補修シート３２の端は欠損部分２１の縁に接し、補修部材３０の表面および裏面がそれぞれ書画２０の本体と平滑になる。
【００３２】
このように、全ての欠損部分２１に補修部材３０の補修シート３２を補充した後、書画２０の裏面に新たな裏材を貼り、書画２０の表面から表材２２を剥がす。これにより、書画２０の補修が完成する。
【００３３】
上記構成によれば、補修部材３０は、欠損部分２１と同じ形状を有している。これにより、織布で形成された書画２０の欠損部分２１を補修部材３０で修理することができる。また、書画２０の本体に補修部材３０に重ならずに、書画２０の欠損部分２１が補修部材３０により埋められる。よって、書画２０の表面が平らになるため、本体と補修部材３０とが重なってできた凹凸によって書画２０の巻き解きの際に書画２０の表面が擦れて痛むことを防止することができる。
【００３４】
また、書画２０の網目に応じて、網目と欠損部分２１とを区別する閾値を設定し、この閾値に基づいて欠損部分２１の位置情報を取得している。これにより、大きな網目を欠損部分２１として誤って判定されることを低減することができる。この結果、欠損部分２１に対応する補修部材３０をより効率的に取得することができる。
【００３５】
さらに、補修シート３２と支持シート３４との間に介在シート３３を挟むことにより、支持シート３４に補修シート３２の台紙としての強度を持たせながら、支持シート３４を剥がす際の補修シート３２への負荷を低減することができる。また、介在シート３３の厚みを支持シート３４より小さくしたことにより、介在シート３３の枚数を増やすことなく、介在シート３３を剥がす際の補修シート３２への負荷を低減することができる。この結果、支持シート３４および介在シート３３の剥離によって補修シート３２が損傷すること防いで、高い精度で書画２０を修理することができると共に、コストの低減および作業性の向上を図ることができる。
【００３６】
また、書画２０の画像情報から欠損部分２１の位置情報を欠損位置取得部１２により取得し、この位置情報に応じて欠損部分２１と同じ形状を有する補修部材３０を形成部１３により作成し、補修部材３０の補修シート３２を欠損部分２１に補充している。これにより、作業者が欠損部分２１に合わせて既製の紙から補修シートを切り取り、この補修シートを欠損部分２１に補充する従来の手作業に比べて、より迅速かつより精密に欠損部分２１を修理することができる。
【００３７】
（実施の形態２）
実施の形態１では織布で形成された書画２０を補修対象としていたのに対し、実施の形態２では紙で形成された書画２０を補修対象としている。この書画２０としては、たとえば、巻物、掛け軸、屏風、襖、古文書、和本、経本、古地図などが挙げられる。また、実施の形態１の形成部１３は、位置情報に基づいて欠損部分２１と同じ形状を有する補修部材３０を形成していたのに対し、実施の形態２の形成部１３は、位置情報に基づいて欠損部分２１と同じ形状の開口部４１を有する型版４０を形成している。実施の形態２に係る書画の補修システム１０はこれらの点が実施の形態１に係る書画の補修システム１０と異なるが、これ以外は同様である。
【００３８】
図１に示す形成部１３は、欠損部分２１の位置情報に基づいた切断位置情報に従って欠損部分２１と同じ形状の開口部４１を有する型版４０を形成する。ここで、同じ形状であるとは、完全に一致する形状だけでなく、製造上の誤差や公差を許容した範囲、および、紙繊維が乾燥により縮む場合にはその縮む割合を考慮した範囲も含む。このため、型版４０の開口部４１は欠損部分２１の形および大きさが同一またはほぼ同一である。そして、開口部４１の縁の形および大きさは欠損部分２１の縁と一致するまたはほぼ一致し、開口部４１の高さ（型版４０の厚み）は欠損部分２１と一致するまたはほぼ一致する。
【００３９】
次に、図４（ａ）〜図５（ｃ）を参照して、書画２０の補修方法について説明する。この補修方法は、図１の補修システム１０により実行される。図４（ａ）は書画２０を示す外観図であり、図４（ｂ）は書画２０の画像情報を二値化処理した結果を示す図であり、図４（ｃ）は開口部４１を形成した型版４０を示す外観図である。図５（ａ）は型版４０に有孔板４２を重ねた漉枠４３を示す断面図であり、図５（ｂ）は開口部４１に紙繊維が充填された漉枠４３を示す断面図であり、図５（ｃ）は欠損部分２１に補修部材３０を補填した書画２０を示す断面図である。
【００４０】
まず、図４（ａ）に示すように、書画２０をデジタルカメラで撮影して、この写真（画像）のデジタル情報を書画２０の画像情報として取得する。この撮影の際に、位置合わせの基準マークを書画２０と共に撮影したりしてもよい。また、撮影は書画２０の表側および裏側のいずれの側から行ってもよい。
【００４１】
続いて、図４（ｂ）に示すように、書画２０の画像情報を画像処理して、欠損部分２１の位置情報を取得する。この画像処理では、たとえば、二値化処理などにより、書画２０の本体の色彩と表材の色彩により色彩の閾値を設定する。そして、この閾値に基づいて欠損部分２１の領域を取得し、欠損部分２１の領域と本体の領域との境目を欠損部分２１の縁として取得する。
【００４２】
そして、図４（ｃ）に示すように、切断位置情報に従って型版４０を切断して、型版４０に開口部４１を設ける。型版４０は、通水性のない平板であって、たとえば、樹脂や防水処理された紙などで形成されている。この平板に、欠損部分２１と厚み（高さ）が同じものを選択する。型版４０における開口部４１は、書画２０における欠損部分２１に対応している。開口部４１の断面積および高さが欠損部分２１と同じまたはほぼ同じになる。なお、紙繊維が乾燥により縮む場合には、その縮む割合を考慮して、乾燥後の紙繊維の厚みが書画２０と同じになるように型版４０の高さを書画２０より大きく設定し、乾燥後の紙繊維の断面積および高さが欠損部分２１と同じになるように開口部４１の断面積および高さを欠損部分２１より大きく設定する。この縮む割合を考慮した開口部４１の断面積および高さも、欠損部分２１と同じ形状に含まれる。
【００４３】
続いて、図５（ａ）に示すように、型版４０を有孔板４２上に重ね、型版４０または有孔板４２に枠４４を取り付けて、漉枠４３を形成する。この有孔板４２は、多数の小さい孔を有する通水性の平板であって、たとえば、金網、絵絹、フェルトなどが挙げられる。有孔板４２は、全ての開口部４１を覆う大きさであればよりよく、枠４４は、全ての開口部４１を囲む大きさであればよりよい。
【００４４】
図５（ｂ）に示すように、漉枠４３を吸引台４５上に配置して、紙繊維を水などに混ぜた補修液（紙料）を漉枠４３内に注ぐ。この紙繊維の種類、繊維長、叩解度、填料、色な
どは、書画２０の紙質に合わせて調整される。また、紙繊維の量は、開口部４１の断面積および高さから求められる開口部４１の体積と、紙繊維の密度とから求められる。
【００４５】
そして、吸引台４５の吸引口４６から吸引すると、漉枠４３内の補修液が開口部４１を介して吸引される。これにより、補修液内の水が開口部４１および吸引口４６を通り漉枠４３から排出されて、紙繊維は開口部４１へ引き寄せられる。この紙繊維の体積を全開口部４１の合計体積より少し多くすると、紙繊維は、開口部４１内を満たし、開口部４１の上端開口から型版４０上に少しはみ出す。これを乾燥させると、紙繊維によって開口部４１に補修部材３０が形成される。
【００４６】
この補修部材３０は、開口部４１に嵌った部分（本体部分）３５と、開口部４１の上端開口の周囲に形成された部分（鍔部分）３６とを有している。補修部材３０の本体部分３５は、その断面積が書画２０の欠損部分２１と等しく、高さが書画２０の欠損部分２１より僅かに高い。この僅かに高い部分（上端部分）から、補修部材３０の鍔部分３６は外側に突き出している。鍔部分３６は、その下面の面積が欠損部分２１の断面積より大きく、厚みが非常に薄くて本体部分３５より小さい。
【００４７】
このため、図５（ｃ）に示すように、型版４０から補修部材３０を取り、補修部材３０の側面および鍔部分３６の下面の少なくともいずれか一方に接着剤を塗布する。そして、鍔部分３６が付いた本体部分３５の面（上面）を書画２０の表面側になるように、本体部分３５を欠損部分２１に嵌める。これにより、欠損部分２１が本体部分３５により満たされる。そして、本体部分３５の上面が書画２０の本体の表面に対して僅かに高くなり、鍔部分３６が書画２０の本体の表面上に載る。この本体部分３５の上面や鍔部分３６を書画２０の表面上で軽くこするなどして鍔部分３６を書画２０となじませて、補修部材３０を書画２０と平滑にする。このように、全ての欠損部分２１に補修部材３０を補充することにより、書画２０の補修が完成する。
【００４８】
上記構成によれば、補修部材３０の本体部分３５は書画２０の欠損部分２１と同じ形状を有するため、欠損部分２１が本体部分３５により埋められる。また、本体部分３５と重なる補修部材３０の鍔部分３６を常に薄く形成しているため、鍔部分３６を書画２０の本体になじませて、補修部材３０と書画２０とをより平滑にすることができる。よって、補修部材３０と書画２０とが重なってできた凹凸によって書画２０の巻き解きの際に書画２０の表面が擦れて痛むことを防止することができる。
【００４９】
また、紙の書画２０では、補修部材３０の側面の風合いを欠損部分２１の縁面と一致させることが難しく、補修部材３０を欠損部分２１に充填するだけでは、この間に補修跡が残ってしまう。これに対し、補修部材３０に鍔部分３６を設け、この鍔部分３６の面積を欠損部分２１より大きく形成している。これにより、鍔部分３６が欠損部分２１の表面側開口の周囲に載り、鍔部分３６が補修部材３０と欠損部分２１との隙間を覆うため、補修跡を目立たなくさせることができる。さらに、鍔部分３６を書画２０の本体となじませれば、補修部材３０と書画２０との境がさらに不明瞭になり、補修部材３０を書画２０と調和させることができる。
【００５０】
さらに、切断して開口部４１を設けるだけで、漉枠４３の型版４０を簡単に作成することができ、作業性に優れている。また、紙繊維を漉枠４３で漉いて補修部材３０を形成するため、耐水性が劣る書画２０にも補修部材３０により修理することができる。さらに、書画２０の欠損部分２１に補修部材３０を補填する前に、補修部材３０を書画２０に応じて加工することができるため、加工された書画２０にも同様に加工した補修部材３０で補修することができる。
【００５１】
また、補修部材３０の厚みは型版４０の開口部４１の高さにより変わるため、書画２０の厚みに型版４０の厚みを合わせることにより、補修部材３０の厚みを書画２０に簡単に対応させることができる。これにより、幅広い厚みの書画２０を補修することができる。
【００５２】
さらに、書画２０の画像情報から欠損部分２１の位置情報を欠損位置取得部１２により取得し、この位置情報に応じて欠損部分２１と同じ形状を有する開口部４１が設けられた型版４０を形成部１３により作成し、型版４０を用いて作成した補修部材３０を欠損部分２１に補充している。これにより、従来の手作業に比べて、より迅速かつより精密に欠損部分２１を修理することができる。
【００５３】
なお、上記全実施の形態は、互いに相手を排除しない限り、互いに組み合わせてもよい。
【００５４】
上記説明から、当業者にとっては、本発明の多くの改良や他の実施の形態が明らかである。従って、上記説明は、例示としてのみ解釈されるべきであり、本発明を実行する最良の態様を当業者に教示する目的で提供されたものである。本発明の精神を逸脱することなく、その構造および／または機能の詳細を実質的に変更できる。
【産業上の利用可能性】
【００５５】
本発明の書画の補修システムおよび補修方法は、従来技術より多くの対象物に適応可能な書画の補修システムおよび補修方法等として有用である。
【符号の説明】
【００５６】
１０  ：補修システム
１１  ：画像情報取得部
１２  ：欠損位置取得部
１３  ：形成部
２０  ：書画
２１  ：欠損部分
３０  ：補修部材
３１  ：補修積層シート
３２  ：補修シート
３３  ：介在シート
３４  ：支持シート
３５  ：本体部分
３６  ：鍔部分
４０  ：型版
４１  ：開口部
４２  ：有孔板
【要約】
【課題】従来技術より多くの対象物に適応可能な書画の補修システムを提供する。
【解決手段】書画の補修システム１０は、補修対象物の画像を取得する画像情報取得部１１と、前記画像から前記補修対象物の欠損部分２１の位置情報を取得する欠損位置取得部１２と、前記位置情報に基づいて、前記欠損部分と同じ形状を有する補修部材３０、または、前記欠損部分と同じ形状を有する開口部４１が設けられた型版４０を形成する形成部１３と、を備えている。
【選択図】図１【図１】
0005865538.tif 000002
【図２】
0005865538.tif 000003
【図３】
0005865538.tif 000004
【図４】
0005865538.tif 000005
【図５】
0005865538.tif 000006